(57)【要約】【課題】テレビ局が販売するスポットＣＭのＣＭ枠を効率的に販売するための装置を提供する。【解決手段】ユーザー端末１２１が、プラットフォーム１１０が提供するウェブサイトにアクセスすると、ユーザー端末１２１の表示画面に、テレビ局が選択可能に表示される（Ｓ２０１）。ユーザーによりテレビ局の選択が行われると、ユーザー端末１２１はそれを受け取り、当該テレビ局が販売するＣＭ枠の価格表をユーザー端末１２１の表示画面に表示する（Ｓ２０２）。次に、ユーザーにより価格表により示されたプランのいずれかの選択が行われると、放送素材の制作サービスの要否確認が表示される（Ｓ２０３）。そして、放送日時を選択することで、選択されたプラン及び放送日時に応じた見積額が表示される（Ｓ２０４）。最後に、ユーザーが「予約に進む」を選択すると、予約情報又は注文情報がユーザー端末１２１からプラットフォーム１１０に送信される（Ｓ２０５）。【選択図】図１
2019070929.tif 000002
【特許請求の範囲】
【請求項１】
テレビ局が販売するスポットＣＭのＣＭ枠を販売するための方法であって、
１又は複数のテレビ局が販売するＣＭ枠の価格情報を表示するステップと、
ユーザーによる前記価格情報内のプランの選択を受け取るステップと、
前記プランに応じた見積額を表示するステップと
を含むことを特徴とする方法。
【請求項２】
前記価格情報に含まれる各プランは、価格がＧＲＰに基づかないことを特徴とする請求項１に記載の方法。
【請求項３】
前記価格情報に含まれる各プランは、価格が所定期間当たりに放送されるＣＭの本数に基づいて定められていることを特徴とする請求項２に記載の方法。
【請求項４】
前記価格情報に含まれる各プランは、価格が所定期間当たりに放送されるＣＭの秒数に基づいて定められていることを特徴とする請求項２に記載の方法。
【請求項５】
前記価格情報は、価格表であることを特徴とする請求項１から４のいずれかに記載の方法。
【請求項６】
前記テレビ局は、ローカル局であることを特徴とする請求項１から５のいずれかに記載の方法。
【請求項７】
ユーザーによる放送日時の選択を受け取るステップをさらに含み、
前記見積額は、前記プラン及び前記放送日時に応じて定まることを特徴とする請求項１から６のいずれかに記載の方法。
【請求項８】
前記放送日時は、放送期間であることを特徴とする請求項７に記載の方法。
【請求項９】
前記放送日時は、選択されたプランを販売可能な日時のみが選択可能とされることを特徴とする請求項７又は８に記載の方法。
【請求項１０】
ユーザーによるテレビ局の選択を受け取るステップをさらに含むことを特徴とする請求項１から９のいずれかに記載の方法。
【請求項１１】
前記見積額にて予約又は注文する旨の指示を受け取るステップをさらに含むことを特徴とする請求項１から１０のいずれかに記載の方法。
【請求項１２】
コンピュータに、テレビ局が販売するスポットＣＭのＣＭ枠を販売するための方法を実行させるためのプログラムであって、前記方法は、
１又は複数のテレビ局が販売するＣＭ枠の価格情報を表示するステップと、
ユーザーによる前記価格情報内のプランの選択を受け取るステップと、
前記プランに応じた見積額を表示するステップと
を含むことを特徴とするプログラム。
【請求項１３】
テレビ局が販売するスポットＣＭのＣＭ枠を販売するための方法を実行させるための装置であって、
１又は複数テレビ局が販売するＣＭ枠の価格情報を表示し、
ユーザーによる前記価格情報内のプランの選択を受け取り、
前記プランに応じた見積額を表示することを特徴とする装置。
【請求項１４】
テレビ局が販売するスポットＣＭのＣＭ枠を販売するための方法であって、
ユーザー端末に、１又は複数のテレビ局が販売するＣＭ枠の価格情報を表示させるステップと、
前記ユーザー端末から、ユーザーによる前記価格情報内のプランの選択を受け取るステップと、
前記ユーザー端末に、前記プランに応じた見積額を表示させるステップと
を含むことを特徴とする方法。
【請求項１５】
コンピュータに、テレビ局が販売するスポットＣＭのＣＭ枠を販売するための方法を実行させるためのプログラムであって、
ユーザー端末に、１又は複数のテレビ局が販売するＣＭ枠の価格情報を表示させるステップと、
前記ユーザー端末から、ユーザーによる前記価格情報内のプランの選択を受け取るステップと、
前記ユーザー端末に、前記プランに応じた見積額を表示させるステップと
を含むことを特徴とするプログラム。
【請求項１６】
テレビ局が販売するスポットＣＭのＣＭ枠を販売するための装置であって、
ユーザー端末に、１又は複数のテレビ局が販売するＣＭ枠の価格情報を表示させ、
前記ユーザー端末から、ユーザーによる前記価格情報内のプランの選択を受け取り、
前記ユーザー端末に、前記プランに応じた見積額を表示させることを特徴とする装置。
【請求項１７】
テレビ局が販売するスポットＣＭのＣＭ枠を販売するための方法であって、
１又は複数のテレビ局が販売するＣＭ枠の価格情報を表示するステップと、
ユーザーによる前記価格情報内の予算案の選択を受け取るステップと、
前記予算案に応じた放送内容を表示するステップと
を含むことを特徴とする方法。
【請求項１８】
前記価格情報に含まれる各予算案は、ＧＲＰに基づかないことを特徴とする請求項１７に記載の方法。
【請求項１９】
ユーザーによる放送エリアの選択を受け取るステップをさらに含むことを特徴とする請求項１７又は１８に記載の方法。
【請求項２０】
テレビ局が販売するスポットＣＭのＣＭ枠を販売するための方法であって、
１又は複数のテレビ局が販売するＣＭ枠の価格情報を表示させるステップと、
ユーザーによる前記価格情報内の予算案の選択を受け取るステップと、
前記予算案に応じた放送内容を表示させるステップと
を含むことを特徴とする方法。
【発明の詳細な説明】
【技術分野】
【０００１】
本発明は、ＣＭ枠を販売するための装置、方法及びプログラムに関し、より詳細には、テレビ局が販売するスポットＣＭのＣＭ枠を販売するための装置、方法及びプログラムに関する。
【背景技術】
【０００２】
インターネット広告の市場規模（日本）が１兆円を超えて大きく成長しつつも、テレビＣＭの市場規模は２兆円前後であり、テレビは、依然として最大の影響力をもつメディアである。音声と映像により反復してメッセージを伝達することで、強い印象を視聴者に与えることができる。
【０００３】
テレビＣＭは、通常、媒体社であるテレビ局が広告スペースとして提供する媒体枠を広告会社が広告主に販売する媒体枠取引により流通する。テレビＣＭには、大きく番組ＣＭとスポットＣＭがあり、前者は、広告主が番組制作費等を負担する代わりに番組の時間内に放送されるＣＭであり、後者は、番組を提供することなく、主に番組と番組との間の時間に放送されるＣＭである。
【０００４】
番組ＣＭは、一部の大手企業を除いてほとんど経験がなく、コストの面でも、取引慣行の面でも、広告媒体として初めて利用しようとする者に対する障壁が非常に高い。
【発明の概要】
【発明が解決しようとする課題】
【０００５】
スポットＣＭについては、番組ＣＭよりも比較的コストの面では敷居が下がるものの、番組ＣＭと同様にテレビ局・広告会社・広告主の間の相対取引が中心となっており、販売対象となる媒体枠の価格に関する情報は一般に流通していない。また、どの媒体枠がいつ販売になるのかに関する情報も一般に流通していない。
【０００６】
このような取引慣行においても、媒体枠がすべて販売されているのであればよいが、売れ残りの媒体枠も少なくない。他方、広告会社としても、売れ残りの媒体枠は概して取引額が大きくなく、こうした媒体枠を積極的に広告主に販売する動機づけもなく、有効な広告手段であるスポットＣＭが十分に活用されていない。
【０００７】
本発明は、このような問題点に鑑みてなされたものであり、その目的は、テレビ局が販売するスポットＣＭのＣＭ枠を効率的に販売するための装置、方法及びプログラムを提供することにある。
【課題を解決するための手段】
【０００８】
このような目的を達成するために、本発明の第１の態様は、テレビ局が販売するスポットＣＭのＣＭ枠を販売するための方法であって、１又は複数のテレビ局が販売するＣＭ枠の価格情報を表示するステップと、ユーザーによる前記価格情報内のプランの選択を受け取るステップと、前記プランに応じた見積額を表示するステップとを含むことを特徴とする。
【０００９】
また、本発明の第２の態様は、第１の態様において、前記価格情報に含まれる各プランは、価格がＧＲＰに基づかないことを特徴とする。
【００１０】
また、本発明の第３の態様は、第２の態様において、前記価格情報に含まれる各プランは、価格が所定期間当たりに放送されるＣＭの本数に基づいて定められていることを特徴とする。
【００１１】
また、本発明の第４の態様は、第２の態様において、前記価格情報に含まれる各プランは、価格が所定期間当たりに放送されるＣＭの秒数に基づいて定められていることを特徴とする。
【００１２】
また、本発明の第５の態様は、第１から第４のいずれかの態様において、前記価格情報は、価格表であることを特徴とする。
【００１３】
また、本発明の第６の態様は、第１から第５のいずれかの態様において、前記テレビ局は、ローカル局であることを特徴とする。
【００１４】
また、本発明の第７の態様は、第１から第６のいずれかの態様において、ユーザーによる放送日時の選択を受け取るステップをさらに含み、前記見積額は、前記プラン及び前記放送日時に応じて定まることを特徴とする。
【００１５】
また、本発明の第８の態様は、第７の態様において、前記放送日時は、放送期間であることを特徴とする。
【００１６】
また、本発明の第９の態様は、第７又は第８の態様において、前記放送日時は、選択されたプランを販売可能な日時のみが選択可能とされることを特徴とする。
【００１７】
また、本発明の第１０の態様は、第１から第９のいずれかの態様において、ユーザーによるテレビ局の選択を受け取るステップをさらに含むことを特徴とする。
【００１８】
また、本発明の第１１の態様は、第１から第１０のいずれかの態様において、前記見積額にて予約又は注文する旨の指示を受け取るステップをさらに含むことを特徴とする。
【００１９】
また、本発明の第１２の態様は、コンピュータに、テレビ局が販売するスポットＣＭのＣＭ枠を販売するための方法を実行させるためのプログラムであって、前記方法は、１又は複数のテレビ局が販売するＣＭ枠の価格情報を表示するステップと、ユーザーによる前記価格情報内のプランの選択を受け取るステップと、前記プランに応じた見積額を表示するステップとを含むことを特徴とする。
【００２０】
また、本発明の第１３の態様は、テレビ局が販売するスポットＣＭのＣＭ枠を販売するための方法を実行させるための装置であって、１又は複数テレビ局が販売するＣＭ枠の価格情報を表示し、ユーザーによる前記価格情報内のプランの選択を受け取り、前記プランに応じた見積額を表示することを特徴とする。
【００２１】
また、本発明の第１４の態様は、テレビ局が販売するスポットＣＭのＣＭ枠を販売するための方法であって、ユーザー端末に、１又は複数のテレビ局が販売するＣＭ枠の価格情報を表示させるステップと、前記ユーザー端末から、ユーザーによる前記価格情報内のプランの選択を受け取るステップと、前記ユーザー端末に、前記プランに応じた見積額を表示させるステップとを含むことを特徴とする。
【００２２】
また、本発明の第１５の態様は、コンピュータに、テレビ局が販売するスポットＣＭのＣＭ枠を販売するための方法を実行させるためのプログラムであって、ユーザー端末に、１又は複数のテレビ局が販売するＣＭ枠の価格情報を表示させるステップと、前記ユーザー端末から、ユーザーによる前記価格情報内のプランの選択を受け取るステップと、前記ユーザー端末に、前記プランに応じた見積額を表示させるステップとを含むことを特徴とする。
【００２３】
また、本発明の第１６の態様は、テレビ局が販売するスポットＣＭのＣＭ枠を販売するための装置であって、ユーザー端末に、１又は複数のテレビ局が販売するＣＭ枠の価格情報を表示させ、前記ユーザー端末から、ユーザーによる前記価格情報内のプランの選択を受け取り、前記ユーザー端末に、前記プランに応じた見積額を表示させることを特徴とする。
【００２４】
また、本発明の第１７の態様は、テレビ局が販売するスポットＣＭのＣＭ枠を販売するための方法であって、１又は複数のテレビ局が販売するＣＭ枠の価格情報を表示するステップと、ユーザーによる前記価格情報内の予算案の選択を受け取るステップと、前記予算案に応じた放送内容を表示するステップとを含むことを特徴とする。
【００２５】
また、本発明の第１８の態様は、第１７の態様において、前記価格情報に含まれる各予算案は、ＧＲＰに基づかないことを特徴とする。
【００２６】
また、本発明の第１９の態様は、第１７又は第１８の態様において、ユーザーによる放送エリアの選択を受け取るステップをさらに含むことを特徴とする。
【００２７】
また、本発明の第２０の態様は、テレビ局が販売するスポットＣＭのＣＭ枠を販売するための方法であって、１又は複数のテレビ局が販売するＣＭ枠の価格情報を表示させるステップと、ユーザーによる前記価格情報内の予算案の選択を受け取るステップと、前記予算案に応じた放送内容を表示させるステップとを含むことを特徴とする。
【発明の効果】
【００２８】
本発明の一態様によれば、ウェブサイト上でスポットＣＭの価格情報を開示し、ＣＭ枠の予約又は注文までを行うことができ、スポットＣＭの活用を大きく進めることができる。
【図面の簡単な説明】
【００２９】
【図１】本発明の第１の実施形態にかかるテレビ局がＣＭ枠を販売するためのシステムを示す図である。
【図２】本発明の第１の実施形態にかかるテレビ局がＣＭ枠を販売するための方法の流れ図である。
【図３】本発明の第１の実施形態にかかるユーザー端末に表示されるウェブページの一例である。
【図４】本発明の第１の実施形態にかかるユーザー端末に表示されるウェブページの一例である。
【図５】本発明の第１の実施形態にかかるユーザー端末に表示されるウェブページの一例である。
【図６】本発明の第３の実施形態にかかるテレビ局がＣＭ枠を販売するための方法の流れ図である。
【発明を実施するための形態】
【００３０】
以下、図面を参照して本発明の実施形態を詳細に説明する。
【００３１】
（第１の実施形態）  
図１に、本実施形態にかかるテレビ局がＣＭ枠を販売するためのシステムを示す。システム１００は、第１のテレビ局１０１及び第２のテレビ局１０２と、これらのテレビ局とスポットＣＭのＣＭ枠の空き枠の確認、注文等を行う広告会社のプラットフォーム１１０と、プラットフォーム１１０にアクセスする第１及び第２の広告主の第１のユーザー端末１２１及び第２のユーザー端末１２２とを備える。広告主、テレビ局ともに図示の例では二社のみであるが、これは例示にすぎず、また、以下の説明では、第１の広告主の第１のユーザー端末１２１を「ユーザー端末」と代表して呼ぶ。
【００３２】
ユーザー端末１２１は、は、通信インターフェースなどの通信部１２１Ａと、プロセッサ、ＣＰＵ等の処理部１２１Ｂと、メモリ、ハードディスク等の記憶装置又は記憶媒体を含む記憶部１２１Ｃとを備え、処理部１２１Ｂが、各処理を行うためのプログラムを実行することによって構成することができ、当該プログラムは、１又は複数のプログラムを含むことがあり、また、コンピュータ読み取り可能な記憶媒体に記録して非一過性のプログラムプロダクトとすることができる。ユーザー端末１２１として、デスクトップのほか、ノートＰＣ、タブレット、スマートフォン等の携帯端末が挙げられる。
【００３３】
ユーザー端末１２１が、プラットフォーム１１０が提供するウェブサイトにアクセスすると、ユーザー端末１２１の表示画面に、ＣＭ枠を販売する１又は複数のテレビ局が選択可能に表示される（Ｓ２０１）。図３の例では、北海道、宮城県、広島県のように都道府県別にＣＭを販売するローカル局が表示されている。
【００３４】
ユーザーによりテレビ局の選択が行われると、ユーザー端末１２１はそれを受け取り、当該テレビ局が販売するＣＭ枠の価格表をユーザー端末１２１の表示画面に表示する（Ｓ２０２）。図４の例では、Ａプランが週１０本で５１０００円、Ｂプランが週１４本で７１４００円、Ｃプランが週２０本で１０２０００円というように、価格が所定期間当たりに放送されるＣＭの本数に基づいて定められている。本数の代わりに、秒数に基づいて定めることもできる。
【００３５】
次に、ユーザーにより価格表により示されたプランのいずれかの選択が行われると、放送素材の制作サービスの要否確認が表示される（Ｓ２０３）。スポットＣＭは１５秒単位で媒体枠が設定されることが多く、そのための放送素材をユーザーが既に用意できていれば、この制作サービスは「利用しない」を選択すればよい。
【００３６】
そして、放送日時を選択することで、選択されたプラン及び放送日時に応じた見積額が表示される（Ｓ２０４）。図５の例では、デフォルトで放送日数が７日間とされており、放送開始日をカレンダーから選択すると放送期間が決定される。その他、放送日時を選択する仕方はさまざま挙げられる。また、ユーザーによる明示的な放送日時の指定がなくとも、デフォルトの設定に基づいて見積額を予め表示し、これを変更可能としてもよい。また、放送日時に応じて各プランの価格が変動させることも可能である。
【００３７】
最後に、ユーザーが「予約に進む」を選択すると、予約情報又は注文情報がユーザー端末１２１からプラットフォーム１１０に送信される（Ｓ２０５）。図５の例では、「仮予約に進む」と表示しており、ここで「仮予約」の意味は、プラットフォーム１１０がリアルタイムに各テレビ局の空き枠に関する情報を有していない場合には、プラットフォーム１１０を運営する広告会社が当該テレビ局に空き枠確認を行うことで、正式な予約が可能となる仮の予約であることを意味している。プラットフォーム１１０において各テレビ局の空き枠情報を有している場合には、放送日時の選択において、ユーザーが希望するプランを販売可能な日時のみを選択可能とすることができる。
【００３８】
本発明の一実施形態である本実施形態においては、ユーザー端末１２１に表示する価格にＧＲＰ（Ｇｒｏｓｓ  Ｒａｔｉｎｇ  Ｐｏｉｎｔｓ）を用いない。従来の媒体枠取引においては、各テレビ局は、ＧＲＰを基準としつつ、相対の取引で広告主毎・広告会社毎に異なる価格でＣＭ枠を販売している。したがって、プラットフォーム１１０によって提供されるウェブサイトで各テレビ局のＧＲＰ当たりの価格を表示することは、既存の取引との関係で困難である。発明者らは、ＧＲＰに基づかない価格を採用することで、各テレビ局による価格情報の開示を実現できることに着目し、上述の特有の取引処理を見出した。
【００３９】
この取引処理によれば、ウェブサイト上で予約又は注文までを行うことができることから、従来必要とされた広告会社とのやりとりの負担及び時間が削減され、コストを低下することができ、各テレビ局が販売したくとも十分に販売困難であった一週間に一桁から二桁の本数という小ロットの販売を可能とする。
【００４０】
さらに、プラットフォーム１１０を既に集客支援商品を提供しており、集客予算を有するユーザーを抱えている事業者が運営することで、各テレビ局は、ＣＭ枠の価格を公表したものの、結局取引が成立する数は限られていたという局面に陥る可能性は低いことが期待でき、一層の価格開示を促すことができる。
【００４１】
上述の説明では、最初に１又は複数のテレビ局の選択画面が表示され、ユーザーによる選択がなされた後に、当該テレビ局が販売するＣＭ枠の価格表の表示が行われたが、選択可能な１又は複数のテレビ局とともに価格表を表示しておくこともできる。
【００４２】
価格表にかかるデータは、プラットフォーム１１０の記憶媒体若しくは記憶装置又はプラットフォーム１１０からアクセス可能なデータベース１１１に記憶されるが、ユーザー端末１２１の表示画面にウェブサイトを表示するためのＨＴＭＬファイル等の表示情報を送信するのと同時に、又はその前後に、ユーザー端末１２１に送信して保持させることができる。あるいは、テレビ局の選択がなされたことを受けて、プラットフォーム１１０に当該テレビ局にかかる価格表の送信要求をユーザー端末１２１から送信し、これを参照するようにしてもよい。
【００４３】
また、ここまでの説明では、価格表として説明したが、表形式であることは必ずしも必要ではなく、各テレビ局が販売するＣＭ枠についての価格を含む１又は複数のプランについての情報を含むものであれば、その形式は問わない。
【００４４】
また、放送素材については、見積額を算定した後に、ユーザーに対してその制作サービスの要否を聞くこともでき、必ずしも上述の順序で要否確認をする必要はない。
【００４５】
また、見積額を表示した後に、ユーザーは示された見積額で予約又は注文する流れで説明をしたが、複数のＣＭ枠の予約又は注文をするために、見積額が示されたＣＭ枠をショッピングカートに入れる、すなわち保持しておき、追って複数のＣＭ枠について予約又は注文を行うようにすることもできる。
【００４６】
また、「××のみに基づいて」、「××のみに応じて」、「××のみの場合」というように「のみ」との記載がなければ、本明細書においては、付加的な情報も考慮し得ることが想定されていることに留意されたい。
【００４７】
また、念のため、本発明に基づいて提供されるウェブサイトにＧＲＰに基づく価格が表示されることがあったとしても、本発明は、ＧＲＰに基づく価格にかかる動作は対象とせず、ＧＲＰに基づかない価格にかかる動作を対象とするものであることを付言する。
【００４８】
より一般に、なんらかの方法、プログラム、端末、装置、サーバ又はシステム（以下「方法等」において、本明細書で記述された動作と異なる動作を行う側面があるとしても、本発明の各態様は、本明細書で記述された動作のいずれかと同一の動作を対象とするものであり、本明細書で記述された動作と異なる動作が存在することは、当該方法等を本発明の各態様の範囲外とするものではないことを付言する。
【００４９】
（第２の実施形態）  
第１の実施形態では、ユーザー端末１２１に対するユーザーの操作に伴い、ユーザー端末１２１において、価格表の表示、見積額の表示等に所要のデータ処理を行うものの、第２の実施形態においては、ユーザーの操作に応じて、プラットフォーム１１０の装置又はサーバにおいて、価格表の表示に所要なデータの取得及びユーザー端末１２１への送信、見積額の表示に所要な計算及び計算結果のユーザー端末１２１への送信等を行う。また、一部をユーザー端末１２１において行い、一部をプラットフォーム１１０において行うようにしてもよい。
【００５０】
プラットフォーム１１０の装置又はサーバは、図示はしないが、ユーザー端末１２１と同様に、通信部と、処理部と、記憶部とを備え、また、１又は複数の装置又はサーバを含むように構成されてもよい。
【００５１】
（第３の実施形態）  
第１及び第２の実施形態では、１又は複数のテレビ局が販売するＣＭ枠の価格情報を価格表としてユーザー端末１２１の表示画面に表示し、その後、価格表内のプランの選択に応じて見積額の表示を行うが、第３の実施形態では、１又は複数のテレビ局が販売するＣＭ枠の価格情報として予算案を表示し（Ｓ６０２）、予算案内のプラン、たとえば５０万円、７５万円、１００万円などのユーザーによる選択に応じて各テレビ局における放送内容の表示を行う（Ｓ６０３）。
【００５２】
放送内容は、××北海道放送は週１３本、北海道〇×放送は週１１本というように、所定期間当たりに放送されるＣＭの本数として定められている。本数の代わりに、秒数に基づいて定めることもできる。
【００５３】
ここで、予算案を表示するに当たっては、最初に１又は複数の放送エリアの選択画面が表示され（Ｓ６０１）、ユーザーによる選択がなされた後に、当該放送エリアにおける予算案の表示を行ってもよく、また、選択可能な１又は複数の放送エリアとともに予算案を表示しておくこともできる。
【００５４】
また、予算案の選択の後にユーザーが放送日時を選択することで、選択された予算及び放送日時に応じた放送内容が表示されるようにすることができる。逆に、放送内容が表示され、選択された後に、選択された予算及び方法内容で放送可能な放送日時を選択させることもできる。放送日時を選択する仕方はさまざま挙げられ、また、ユーザーによる明示的な放送日時の指定がなくとも、デフォルトの設定を行うようにしてもよい。
【００５５】
その後、必要に応じて放送素材の制作サービスの要否確認が行われ（Ｓ６０４）、予約又は注文へと進む（Ｓ６０５）。
【００５６】
本実施形態においても、第１及び第２の実施形態と同様に、ユーザー端末１２１に表示する価格にＧＲＰを用いないことで、従来困難であった各テレビ局による価格情報の開示を実現可能としている。第３の実施形態では、ＣＭ枠の単価を示すのではなく、合計金額の表示とすることで、各テレビ局による価格情報の開示における障害を抑制している。
【００５７】
本実施形態では、放送エリア内で所定の予算の下で選択可能な１又は複数のテレビ局による放送内容を広く提示することにより、ユーザーの選択肢を広げることができる。上述の説明では、選択された予算案に応じたテレビ局毎の放送内容が表示されるが、予算を前提とすることで、具体的な放送内容については問い合わせにより明らかとなるテレビ局についても、放送内容の詳細は未定のまま選択可能とすることができ、ユーザーの選択肢を一層広げることができる。さらに、こうした詳細不明の放送については、たとえば、他のテレビ局による本数又は秒数に基づいて定められた放送内容と同時にユーザー端末１２１に表示を行うことで、ユーザーは価格の相場を知ることができ、CM枠の流通が促される。
【符号の説明】
【００５８】
１００  システム
１０１  第１のテレビ局
１０２  第２のテレビ局
１１０  プラットフォーム
１１１  データベース
１２１  第１のユーザー端末
１２１Ａ  通信部
１２１Ｂ  処理部
１２１Ｃ  記憶部
１２２  第２のユーザー端末
【図１】
2019070929.tif 000003
【図２】
2019070929.tif 000004
【図３】
2019070929.tif 000005
【図４】
2019070929.tif 000006
【図５】
2019070929.tif 000007
【図６】
2019070929.tif 000008